【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
光センサ、１つ又は複数のユーザ入力装置、並びに前記光センサ及び前記１つ又は複数のユーザ入力装置に動作可能に結合されたコントローラを含むモバイルコンピューティングデバイスであって、前記コントローラは、
前記１つ又は複数のユーザ入力装置を介して、前記光センサによって感知された照明効果の所望の照明特性調節を示す入力を受信し；
前記感知された照明効果に寄与する１つ又は複数の寄与ＬＥＤベース照明ユニットを識別し；
前記１つ又は複数の寄与ＬＥＤベース照明ユニットへの無線送信のために、前記１つ又は複数の寄与ＬＥＤベース照明ユニットの少なくとも幾つかに前記所望の照明特性調節を実施させる命令を生成する、モバイルコンピューティングデバイス。
【請求項２】
前記コントローラは、前記所望の照明特性調節を示す入力の受信に応答した１つ又は複数の近くのＬＥＤベース照明ユニットへの無線送信のために、前記１つ又は複数の近くのＬＥＤベース照明ユニットが前記モバイルコンピューティングデバイスに対して自証する符号化光信号を送信するための事前命令を生成する、請求項１に記載のモバイルコンピューティングデバイス。
【請求項３】
前記コントローラは、前記光センサによって検出された前記１つ又は複数の寄与ＬＥＤベース照明ユニットの光出力に基づいて、前記１つ又は複数の寄与ＬＥＤベース照明ユニットを識別する、請求項１に記載のモバイルコンピューティングデバイス。
【請求項４】
前記コントローラは、前記１つ又は複数の寄与ＬＥＤベース照明ユニットの内の１つ又は複数の他の照明ユニットよりも多く感知された照明効果に寄与する、前記寄与ＬＥＤベース照明ユニットの内の第１の照明ユニットを識別する、請求項１に記載のモバイルコンピューティングデバイス。
【請求項５】
前記モバイルコンピューティングデバイスは、少なくとも１つのコンテキストセンサを含み、前記コントローラは、前記少なくとも１つのコンテキストセンサによって検出された照明コンテキストに基づいて、前記所望の照明特性調節を示す入力を受信するように、前記１つ又は複数のユーザ入力装置を選択的に有効にする、請求項１に記載のモバイルコンピューティングデバイス。
【請求項６】
前記照明コンテキストは、前記モバイルコンピューティングデバイスの場所を含み、前記コントローラは、前記場所が既定の領域内、又は前記１つ若しくは複数の寄与ＬＥＤベース照明ユニットの所定の距離内にあるか否かの決定に基づいて、選択的に前記１つ若しくは複数のユーザ入力装置を有効にする、請求項５に記載のモバイルコンピューティングデバイス。
【請求項７】
前記少なくとも１つのコンテキストセンサは、Wi-Fiインターフェースを含み、前記コントローラは、Wi-Fiフィンガープリンティングに基づいて、前記場所が既定の領域内、又は前記１つ若しくは複数の寄与ＬＥＤベース照明ユニットの所定の距離内にあるか否かを決定する、請求項６に記載のモバイルコンピューティングデバイス。
【請求項８】
前記少なくとも１つのコンテキストセンサは、Wi-Fiインターフェースを含み、前記照明コンテキストは、前記Wi-Fiインターフェースを介したモバイルコンピューティングデバイスによるWi-Fi基地局との接続を含む、請求項５に記載のモバイルコンピューティングデバイス。
【請求項９】
少なくとも１つのコンテキストセンサ；１つ又は複数のユーザ入力装置；並びに前記少なくとも１つのコンテキストセンサ及び前記１つ又は複数のユーザ入力装置に動作可能に結合されたコントローラを含むモバイルコンピューティングデバイスであって、前記コントローラは、
前記少なくとも１つのコンテキストセンサによって検出された照明コンテキストに基づいて、前記１つ又は複数のＬＥＤベース照明ユニットによって生成された光出力の所望の照明特性調節を示す入力を受信するように選択的に前記１つ又は複数のユーザ入力装置を有効にし、前記照明コンテキストは、前記モバイルコンピューティングデバイスがユーザの手の中にあるという決定を含み；
前記１つ又は複数の入力装置における所望の照明特性調節の受信に応答した１つ又は複数のＬＥＤベース照明ユニットへの無線送信のために、前記１つ又は複数のＬＥＤベース照明ユニットの少なくとも幾つかに所望の照明特性調節を実施させる命令を生成する、モバイルコンピューティングデバイス。
【請求項１０】
前記照明コンテキストは、前記モバイルコンピューティングデバイスの場所を含み、前記少なくとも１つのコンテキストセンサは、Wi-Fiインターフェースを含み、前記コントローラは、Wi-Fiフィンガープリンティングに基づいて、前記場所が既定の領域内、又は前記１つ若しくは複数のＬＥＤベース照明ユニットの所定の距離内にあるか否かを決定する、請求項９に記載のモバイルコンピューティングデバイス。
【請求項１１】
前記照明コンテキストは、ある順序のコンテキストキューを含み、前記コントローラは、検出された順序に基づいて、前記１つ又は複数のユーザ入力装置の１つ又は複数の局面を選択的に有効にする、請求項９に記載のモバイルコンピューティングデバイス。
【請求項１２】
前記少なくとも１つのコンテキストセンサは、照明効果を感知するように設定された光センサを含み、前記コントローラは、前記光センサによって検出された前記１つ又は複数のＬＥＤベース照明ユニットの光出力に基づいて、感知された前記照明効果に寄与する１つ又は複数のＬＥＤベース照明ユニットを識別し、前記コントローラは、所望の照明特性調節を示す入力の受信に応答した前記１つ又は複数の寄与ＬＥＤベース照明ユニットへの無線送信のために、前記１つ又は複数の寄与ＬＥＤベース照明ユニットの少なくとも幾つかに所定の照明効果を実施させる命令を生成する、請求項９に記載のモバイルコンピューティングデバイス。
【請求項１３】
モバイルコンピューティングデバイスの光センサによって感知された照明効果の所望の照明特性調節を示す入力をモバイルコンピューティングデバイスによって受信するステップ；
感知された照明効果に寄与する１つ又は複数の寄与ＬＥＤベース照明ユニットをモバイルコンピューティングデバイスによって識別するステップ；及び
１つ又は複数の寄与ＬＥＤベース照明ユニットへの無線送信のために、１つ又は複数の寄与ＬＥＤベース照明ユニットの少なくとも幾つかに所望の照明特性調節を実施させるように設定された命令をモバイルコンピューティングデバイスによって生成するステップを含む、照明制御のためのコンピュータにより実施する、方法。
【請求項１４】
前記少なくとも１つのコンテキストセンサによって照明コンテキストを検出すること、及び照明コンテキストに基づいて、前記所望の照明特性調節を示す入力を受信するように、１つ又は複数のユーザ入力装置を選択的に有効にすることを含む、請求項１３に記載の方法。
【請求項１５】
モバイルコンピューティングデバイスによって、前記モバイルコンピューティングデバイスの少なくとも１つのコンテキストセンサによって検出された照明コンテキストに基づいて、１つ又は複数のＬＥＤベース照明ユニットによって生成された光出力の所望の照明特性調節を示す入力を受信可能にするように前記モバイルコンピューティングデバイスの１つ又は複数のユーザ入力装置を選択的に有効にするステップであって、前記照明コンテキストは、前記モバイルコンピューティングデバイスがユーザの手の中にあるという決定を含むステップと、
前記１つ又は複数の入力装置における前記所望の照明特性調節の前記１つ又は複数のユーザ入力装置での受信に応答した１つ又は複数のＬＥＤベース照明ユニットへの無線送信のために、前記モバイルコンピューティングデバイスによって、前記１つ又は複数のＬＥＤベース照明ユニットの少なくとも幾つかに前記所望の照明特性調節を実施させる命令を生成するステップとを有する、コンピュータにより実施される、方法。